(57)【要約】【課題】本発明は、受信装置及びアンテナに関し、例えばディジタルラジオ放送等を受信可能な携帯電話に適用して、従来に比して簡易な構成により、機械的強度、デザイン的に優れ、さらには性能を向上する。【解決手段】本発明は、本体装置４から一定範囲Ｌ１まで、平行線路１５の一方の側１５Ｂを特定周波数帯域のアンテナとして使用し、他方の側１５Ａをオーディオ信号ＳＡＬ、ＳＡＲ等の伝送に割り当てる。【選択図】        図１
2008270860.tif 000002
【特許請求の範囲】
【請求項１】
本体装置における信号又は電力を伝送する複数本の伝送用ケーブルによる伝送部と、
前記伝送用ケーブルの前記本体装置側端から前記本体装置側端とは逆側端の途中までの間、前記伝送用ケーブルに沿って設けられて前記伝送部のケーブルと平行線路を形成するアンテナ部と、
前記伝送用ケーブルの前記本体装置側端に設けられ、前記伝送用ケーブルからの前記本体装置への高周波信号の侵入を遮断する高周波遮断回路と、
前記アンテナ部の前記本体装置側端をアンテナ入力端に接続し、前記アンテナ部の長さに対応する第１の周波数帯域の放送波を受信するチューナ部とを備え、
前記アンテナ部の前記本体装置側端とは逆側端が開放端とされた
ことを特徴とする受信装置。
【請求項２】
前記伝送用ケーブルの前記本体装置側端とは逆側端にスピーカが設けられ、
前記本体装置における信号が、前記スピーカを駆動するオーディオ信号である
ことを特徴とする請求項１に記載の受信装置。
【請求項３】
前記アンテナ部の前記スピーカ側端の部位に前記伝送用ケーブルを中継するジャック及びプラグが設けられた
ことを特徴とする請求項２に記載の受信装置。
【請求項４】
前記伝送部の複数本の伝送用ケーブルが、少なくとも右及び左チャンネルのオーディオ信号をそれぞれ伝送するケーブルと、前記右及び又は左チャンネルのオーディオ信号に対応するアースラインのケーブルとを有する複数本のケーブルであり、
前記アンテナ部には、前記伝送部の伝送用ケーブルと等しい本数のケーブルが設けられ、
前記アンテナ部は、前記本体装置側端で、前記複数本のケーブルが接続されて、前記アンテナ入力端に接続された
ことを特徴とする請求項１に記載の受信装置。
【請求項５】
前記アンテナ部の長さが、前記第１の周波数帯域の放送波の波長の略ｎ／４に設定された
ことを特徴とする請求項１に記載の受信装置。
但し、ｎは奇数である。
【請求項６】
前記伝送用ケーブルの前記本体装置側端と、前記アンテナ部の前記本体装置側端とがフィルタ回路により接続され、
前記チューナ部が、さらに前記伝送用ケーブルの長さに対応する第２の周波数帯域の放送波を受信する
ことを特徴とする請求項１に記載の受信装置。
【請求項７】
前記伝送用ケーブルの長さが、前記第２の周波数帯域の放送波の波長の略ｎ／４に設定された
ことを特徴とする請求項６に記載の受信装置。
但し、ｎは奇数である。
【請求項８】
所定周波数帯域の放送波を受信する本体装置に接続されるアンテナであって、
本体装置における信号又は電力を伝送する複数本の伝送用ケーブルによる伝送部と、
前記伝送用ケーブルの前記本体装置側端から前記本体装置側端とは逆側端の途中までの間、前記伝送用ケーブルに沿って設けられて前記伝送部のケーブルと平行線路を形成するアンテナ部とを有し、
前記アンテナ部の前記本体装置側端とは逆側端が開放端とされ、
前記伝送用ケーブルの前記本体装置側端が、前記本体装置への高周波信号の侵入を遮断する高周波遮断回路に接続され、
前記アンテナ部の前記本体装置側端が、前記アンテナ部の長さに対応する第１の周波数帯域の放送波を受信するチューナ部のアンテナ入力端に接続される
ことを特徴とするアンテナ。
【発明の詳細な説明】
【技術分野】
【０００１】
本発明は、受信装置及びアンテナに関し、例えばディジタルラジオ放送等を受信可能な携帯電話に適用することができる。本発明は、本体装置から一定範囲で、平行線路の一方の側を特定周波数帯域のアンテナとして使用し、他方の側をオーディオ信号等の伝送に割り当てることにより、従来に比して簡易な構成により、機械的強度、デザイン的に優れ、さらには性能を向上したアンテナ、このアンテナを使用した受信装置を提案する。
【背景技術】
【０００２】
従来、携帯型の受信装置では、アンテナに関して種々の工夫が図られている。すなわちこの種のアンテナには、装置のデザインを損なわないようにする、人体への影響を防止する、機器から放射されるノイズによる影響を受け難くする等が望まれる。
【０００３】
これらのうちのデザインに関して、受信装置は、従来、アンテナを内蔵型にしてデザインを損なわないようにする工夫が施されているものの、ＵＨＦ帯、ＶＨＦ帯では、アンテナが大型化し、内蔵することが困難になる。そこで従来、ＵＨＦ帯、ＶＨＦ帯において、受信装置は、主にロッドアンテナを使用している。しかしながらロッドアンテナを使用する場合、構成が複雑化し、ロッドアンテナが飛び出してデザインを損なう等の欠点がある。
【０００４】
このため近年、イヤホンケーブルをアンテナとして使用する方法が種々に提案されている。しかしながら、単にイヤホンケーブルをアンテナとして使用する場合、図１９に示すように、イヤホンケーブルが人体に触れ、さらに人体に触れる箇所が種々に変化し、これによりアンテナとしての機能を十分に発揮できない欠点がある。
【０００５】
そこで従来、イヤホンケーブルをアンテナとして使用する場合、人体に触れる部分をアンテナとして機能させないようにする種々の工夫が提案されており、例えば特開２００５−６４７４２号公報には、装置側を同軸ケーブルとした工夫が提案されている。
【０００６】
しかしながらこれらの方法では、アンテナとして機能させない部分と、アンテナとして機能させる部分との接続部分に、特定部位への高周波信号の流入を遮断する高周波遮断素子を設けることが必要であり、これによりこの接続部分の構成が煩雑になり、さらにはこの接続部分で機械的強度が劣化する問題がある。またデザインが制約される問題もある。またさらに接続部分に高周波遮断素子を設けると、オーディオ信号の伝送路における直流抵抗が増大し、イヤホンの音声出力特性が劣化し、これにより性能の面で実用上未だ不十分な問題もある。
【特許文献１】特開２００５−６４７４２号公報
【発明の開示】
【発明が解決しようとする課題】
【０００７】
本発明は以上の点を考慮してなされたもので、これらの問題点を一挙に解決して、従来に比して簡易な構成により、機械的強度、デザイン的に優れ、さらには性能を向上したアンテナ、このアンテナを使用した受信装置を提案しようとするものである。
【課題を解決するための手段】
【０００８】
上記の課題を解決するため請求項１の発明は、受信装置に適用して、本体装置における信号又は電力を伝送する複数本の伝送用ケーブルによる伝送部と、前記伝送用ケーブルの前記本体装置側端から前記本体装置側端とは逆側端の途中までの間、前記伝送用ケーブルに沿って設けられて前記伝送部のケーブルと平行線路を形成するアンテナ部と、前記伝送用ケーブルの前記本体装置側端に設けられ、前記伝送用ケーブルからの前記本体装置への高周波信号の侵入を遮断する高周波遮断回路と、前記アンテナ部の前記本体装置側端をアンテナ入力端に接続し、前記アンテナ部の長さに対応する第１の周波数帯域の放送波を受信するチューナ部とを備え、前記アンテナ部の前記本体装置側端とは逆側端が開放端とされる。
【０００９】
また請求項８の発明は、所定周波数帯域の放送波を受信する本体装置に接続されるアンテナに適用して、本体装置における信号又は電力を伝送する複数本の伝送用ケーブルによる伝送部と、前記伝送用ケーブルの前記本体装置側端から前記本体装置側端とは逆側端の途中までの間、前記伝送用ケーブルに沿って設けられて前記伝送部のケーブルと平行線路を形成するアンテナ部とを有し、前記アンテナ部の前記本体装置側端とは逆側端が開放端とされ、前記伝送用ケーブルの前記本体装置側端が、前記本体装置への高周波信号の侵入を遮断する高周波遮断回路に接続され、前記アンテナ部の前記本体装置側端が、前記アンテナ部の長さに対応する第１の周波数帯域の放送波を受信するチューナ部のアンテナ入力端に接続される。
【００１０】
請求項１又は請求項８の構成によれば、伝送部とアンテナ部とが平行線路を形成することから、高周波信号における伝送部とアンテナ部とのアイソレーションを十分に確保することができる。従ってアンテナ部のケーブルのみをアンテナとして機能させることができる。このとき装置の根元部分が給電点に設定されて、アンテナ部のケーブルが伝送部の途中までしか設けられていないことにより、伝送部の伝送ケーブルが人体に接触する場合でも、アンテナ部のケーブルについては、人体に接触しないようにすることができ、これによりこのアンテナ部のケーブルによる周波数帯域の放送波については、性能を向上することができる。また本体装置とは逆側のアンテナ部の端部には高周波遮断回路を設ける必要が無く、これにより従来に比して構成を簡略化し、機械的強度を増大し、さらにはデザイン的に優れたものとすることができる。またオーディオ信号の伝送に関して、直流抵抗の増大を防止して性能の劣化を防止することができる。
【発明の効果】
【００１１】
本発明によれば、従来に比して簡易な構成により、機械的強度、デザイン的に優れ、さらには性能を向上したアンテナ、このアンテナを使用した受信装置を得ることができる。
【発明を実施するための最良の形態】
【００１２】
以下、適宜図面を参照しながら本発明の実施例を詳述する。
【実施例１】
【００１３】
（１）実施例の構成
図１は、本発明の実施例１の受信装置である携帯電話を部分的に示すブロック図であり、図２は、この携帯電話の斜視図である。この携帯電話１は、ラジオ放送の受信機能を有する携帯電話であり、中継ケーブル２を介してイヤホン３を本体装置４に接続することにより、これら中継ケーブル２、イヤホン３をアンテナとして使用してラジオ放送を受信する。
【００１４】
このため中継ケーブル２は、本体装置４に接続するプラグ５が本体装置４側端に設けられ、またイヤホン３側端にイヤホン３のプラグ６を接続するジャック７が設けられる。またこれに対応して本体装置４には、中継ケーブル２のプラグ５を接続するジャック８が設けられる。
【００１５】
ここで本体装置４において、増幅回路１０Ｌ、１０Ｒは、左チャンネル及び右チャンネルのオーディオ信号ＳＡＬ及びＳＡＲをそれぞれ増幅してジャック８に出力する。高周波遮断回路１１Ｌ、１１Ｒは、増幅回路１０Ｌ、１０Ｒとジャック８との間にそれぞれ設けられ、ジャック８から本体装置４への高周波信号の侵入を防止する。これに対して高周波遮断回路１１Ｇは、オーディオ信号ＳＡＬ及びＳＡＲに対応するジャック８のアースラインを接地し、アースラインからの高周波信号の侵入を防止する。なおこの実施例において、高周波遮断回路１１Ｌ、１１Ｒ、１１Ｇは、例えばチップインダクタにより構成されるものの、増幅回路１０Ｌ及び１０Ｒの出力ラインにフェライトビーズを配置したインダクタによるローパスフィルタ等を広く適用することができる。
【００１６】
ハイバンドチューナ１３Ｈは、周波数１９０〔ＭＨｚ〕帯の放送波であるディジタルラジオ放送を受信する。ローバンドチューナ１３Ｌは、周波数７０〜１１０〔ＭＨｚ〕の放送波であるＦＭ放送、ローバンドのテレビジョン放送による音声を受信する。本体装置４は、ユーザーの操作に応動してこれらハイバンドチューナ１３Ｈ、ローバンドチューナ１３Ｌの動作を切り換え、選択回路１４、コンデンサ１６を介してこれらハイバンドチューナ１３Ｈ、ローバンドチューナ１３Ｌのアンテナ入力端を選択的にジャック８に接続する。
【００１７】
これに対して中継ケーブル２は、図３に断面を取って示すように、いわゆる平行リッツ線１５が使用される。ここで平行リッツ線１５は、それぞれ複数のケーブルを撚り合わせた第１及び第２の撚り線部１５Ａ、１５Ｂを所定の間隔ｄで平行に配置した平行線路である。この実施例では、これら第１及び第２の撚り線部１５Ａ及び１５Ｂが、それぞれ２チャンネルのオーディオ信号をアナログ信号により伝送するのに必要な最小限度の本数である３本のケーブルを撚り合わせて形成される。なお各ケーブル、撚り線部１５Ａ、１５Ｂは、それぞれ一定誘電率の絶縁体により絶縁され、この実施例では、この絶縁体にポリウレタンが適用される。なお具体的に、この実施例において、これら撚り線部１５Ａ、１５Ｂは、中心間の間隔ｄが約１．６〔ｍｍ〕に設定される。また撚り線部１５Ａ、１５Ｂは、アラミド線入りのポリウレタン線が撚り合わされて形成され、中心部分に半径０．４〔ｍｍ〕による１本のワイヤーをそれぞれ設けた場合とほぼ等価の平行線路を形成する。
【００１８】
中継ケーブル２は、第１の撚り線部１５Ａが、オーディオ信号を伝送する伝送部に割り当てられ、第２の撚り線部１５Ｂがアンテナとして機能するアンテナ部に割り当てられる。これにより中継ケーブル２は、イヤホン３側端において、第２の撚り線部１５Ｂの３本のケーブルＬＡ１〜ＬＡ３が何れの部位にも接続されない状態である、いわゆる開放端とされる。また本体装置４側端において、これら３本のケーブルＬＡ１〜ＬＡ３がまとめられてプラグ５のアンテナ用端子に接続され、本体装置４では、このアンテナ用端子がジャック８、コンデンサ１６を介して選択回路１４に接続される。なおこれによりこの実施例ではコンデンサ１６と高周波遮断回路１１Ｇとにより、高周波信号とオーディオ信号とを分離する分離回路を構成する。
【００１９】
これに対して第１の撚り線部１５Ａの３本のケーブルＬＬ、ＬＲ、ＬＧのうち、２本のケーブルＬＬ、ＬＲは、本体装置４側端が、それぞれプラグ５、ジャック８、高周波遮断回路１１Ｌ、１１Ｒを介して増幅回路１０Ｌ、１０Ｒに接続される。また第１の撚り線部１５Ａの残る１本のケーブルＬＧは、ハイバンドチューナ１３Ｈの受信周波数でインピーダンスが十分に高く、オーディオ信号ＳＡＬ、ＳＡＲの周波数帯域では十分にインピーダンスの低いフィルタ回路１７を介して、プラグ５の付け根の部分で第２の撚り線部１５ＢのケーブルＬＡ１〜ＬＡ３に接続され、高周波遮断回路１１Ｇに接続される。またイヤホン３側では、これら３本のケーブルＬＬ、ＬＲ、ＬＧがそれぞれジャック７の対応する箇所に接続される。
【００２０】
なおこの実施例において、フィルタ回路１７には、チップインダクタによるローパスフィルタ回路が適用されるものの、これに代えて例えばバンドパスフィルタ等、各種のフィルタ回路を広く適用することができる。
【００２１】
中継ケーブル２は、これらプラグ５端における第１及び第２の撚り線部１５Ａ及び１５Ｂ間の接続、プラグ５との接続が配線基板上で実行され、ジャック７、プラグ５の部位を樹脂によりモールディングして形成される。中継ケーブル２は、長さＬ１が、ハイバンドチューナ１３Ｈが受信する特定周波数の波長の１／４の長さである約５００〔ｍｍ〕に設定される。
【００２２】
これに対してイヤホン３は、所定の長さによるケーブル１９の一端がジャック７に接続され、このケーブル１９の他端がスピーカ２０Ｌ、２０Ｒに接続される。イヤホン３は、プラグ５からスピーカ２０Ｌ、２０Ｒまでの長さＬ２が、ローバンドチューナ１３Ｌが受信する周波数帯域の特定放送波の波長の略１／４波長の長さである１２００〔ｍｍ〕に設定される。なおイヤホン３にあっても、プラグ６におけるケーブルの接続部分を覆い隠すように樹脂によりモールディングされて形成される。
【００２３】
（２）実施例の動作
以上の構成において、この携帯電話１では、ユーザーの操作に応動してハイバンドチューナ１３Ｈ又はローバンドチューナ１３Ｌが動作を立ち上げ、ハイバンドチューナ１３Ｈ又はローバンドチューナ１３Ｌのアンテナ入力端が選択回路１４を介して中継ケーブル２に接続される。携帯電話１では、この中継ケーブル２、若しくは中継ケーブル２及び中継ケーブル２に接続されたイヤホン３のケーブル１９がアンテナとして機能し、これによりハイバンドチューナ１３Ｈ又はローバンドチューナ１３Ｌで所望の放送波を受信し、オーディオ信号ＳＡＬ、ＳＡＲが再生される。携帯電話１では、このオーディオ信号ＳＡＬ、ＳＡＲが増幅回路１０Ｌ、１０Ｒにより中継ケーブル２に出力されてスピーカ２０Ｌ、２０Ｒが駆動され、ハイバンドチューナ１３Ｈ又はローバンドチューナ１３Ｌで受信した放送波の音声がユーザーに提供される。これによりこの携帯電話１では、イヤホン３により放送による種々のコンテンツを楽しむことができる。
【００２４】
この携帯電話１では、このオーディオ信号ＳＡＬ、ＳＡＲのスピーカ２０Ｌ、２０Ｒへの出力が、高周波遮断回路１１Ｌ、１１Ｒ、中継ケーブル２、イヤホン３のケーブル１９を順次介して実行され、これらのうちの高周波遮断回路１１Ｌ、１１Ｒが本体装置４の根元部分に設けられて、イヤホン３のケーブル１９等に誘起された高周波信号の本体装置４側への侵入が阻止され、これにより増幅回路１０Ｌ、１０Ｒ等を安定に動作させて各種のコンテンツを楽しむことができる。
【００２５】
これに対して中継ケーブル２では、平行線路を構成する一方の側の撚り線部１５ＡのケーブルＬＬ、ＬＲ、ＬＧによりオーディオ信号ＳＡＬ、ＳＡＲの伝送路、これらオーディオ信号のＳＡＬ、ＳＡＲのアースラインが形成され、これにより確実にオーディオ信号ＳＡＬ、ＳＡＲを伝送することができる。
【００２６】
これに対して中継ケーブル２では、平行線路を形成する他方の側の撚り線部１５ＢのケーブルＬＡ１〜ＬＡ３がハイバンドチューナ１３Ｈ又はローバンドチューナ１３Ｌのアンテナ入力端に接続され、これにより中継ケーブル２の平行線路を形成する他方の側の撚り線部１５ＢのケーブルＬＡ１〜ＬＡ３に誘起される高周波信号によりハイバンドチューナ１３Ｈ又はローバンドチューナ１３Ｌが放送波を受信する。
【００２７】
ここでこの中継ケーブル２のケーブルＬＡ１〜ＬＡ３は、イヤホン３側が開放端とされ、フィルタ回路１７により伝送部に割り当てられた中継ケーブルＬＧと分離されて本体装置４側端が接続され、この本体装置４側端がコンデンサ１６、選択回路１４を介してハイバンドチューナ１３Ｈ、ローバンドチューナ１３Ｌのアンテナ入力端に接続されることから、本体装置４の根元部分が給電点に設定されたモノポールアンテナとして機能することになる。これにより図４に示すように、イヤホン３のケーブル１９が人体に接触する場合でも、このケーブルＬＡ１〜ＬＡ３の部位については、人体に接触しないようにすることができ、これによりケーブルＬＡ１〜ＬＡ３による周波数帯域の放送波については、人体による影響を低減し、従来に比して性能を向上することができる。
【００２８】
なお携帯電話１では、伝送部側のケーブルＬＬ、ＬＲ、ＬＧとアンテナ部側のケーブルＬＡ１〜ＬＡ３とが平行に延長することから、中継ケーブル２に接続されて延長するイヤホン３のケーブルに誘起された高周波信号が、伝送部側のケーブルＬＬ、ＬＲ、ＬＧを介して、アンテナ部側のケーブルＬＡ１〜ＬＡ３に流入する恐れもあり、この場合、イヤホン３のケーブル１９までも等価的にアンテナとして機能し、人体による性能の劣化が心配される。
【００２９】
しかしながらこの実施例では、アンテナ部と伝送部とによる平行線路の特性インピーダンスがほぼ１６６オームとなり、これにより例えば特性インピーダンスが５０オームである同軸ケーブルを使用する場合に比して、線路間のインピーダンスを格段的に高くすることができ、これにより伝送部側のケーブルＬＬ、ＬＲ、ＬＧとアンテナ部側のケーブルＬＡ１〜ＬＡ３との結合を十分に小さくすることができる。なおこの平行線路の特性インピーダンスは、線路間の間隔ｄを１．６〔ｍｍ〕、導体半径ａを０．４〔ｍｍ〕として平行線路の特性インピーダンスを求める計算式Ｚ＝２７６／（ε1/2 ）×ｌｏｇ（ｄ／ａ）で求めたものである。なおここでεは、線路間の誘電率であり、ｌｏｇの底は１０である。これによりこの実施例では、イヤホン３のケーブルに誘起された高周波信号の、伝送部側のケーブルＬＬ、ＬＲ、ＬＧを介したアンテナ部側のケーブルＬＡ１〜ＬＡ３への流入をほぼ実用上十分な程度に抑圧して中継ケーブル２のアンテナ部のみをアンテナとして機能させることができ、これにより人体による性能の劣化を確実に防止することができる。
【００３０】
またこの実施例では、この中継ケーブル２の長さＬ１が、ハイバンドチューナ１３Ｈの周波数帯域の特定放送波の略１／４波長の長さに設定されていることにより、ハイバンドチューナ１３Ｈの周波数帯域において、中継ケーブル２のアンテナ部には、効率良く高周波信号が誘起されてハイバンドチューナ１３Ｈに入力され、これによりアンテナとしての性能を一段と向上することができる。
【００３１】
特にこの実施例では、このハイバンドチューナ１３Ｈがディジタルラジオ放送の放送波を受信し、このディジタルラジオ放送の周波数帯域は、人体の接触によりアンテナの特性劣化が激しい周波数帯域であることから、この実施例のように、このハイバンドチューナ１３Ｈの周波数帯域において、中継ケーブル２のアンテナ部側のみアンテナとして機能させるようにすれば、従来に比して格段的に高性能のアンテナを得ることができる。また何らイヤホン３側に高周波遮断回路等を設けなくても、人体による悪影響を防止できることにより、従来に比して構成を簡略化し、機械的強度を増大し、さらにはデザイン的に優れたものとすることができる。またオーディオ信号の伝送路における直流抵抗の増大も防止することができる。
【００３２】
またプラグ５側からスピーカ２０Ｌまでの長さＬ２が、ローバンドチューナ１３Ｌが受信する周波数帯域の特定の放送波の略１／４波長の長さである１２００〔ｍｍ〕に設定され、中継ケーブル２の長さの２倍以上の長さに設定されていることによっても、ハイバンドチューナ１３Ｈの周波数帯域では、イヤホン３のケーブル１９をアンテナとして機能させないようにすることができ、これによってもイヤホン３のケーブル１９への人体の接触による各種の悪影響を低減してアンテナとしての性能を向上することができる。
【００３３】
これに対してローバンドチューナ１３Ｌで放送波を受信する場合、携帯電話１では、中継ケーブル２の本端装置側端において、フィルタ回路１７を介してアースライン用のケーブルＬＧがアンテナ部側のケーブルＬＡ１〜ＬＡ３に接続されており、ハイバンドチューナ１３Ｈに比して受信周波数が低い分、このフィルタ回路１７のインピーダンスが低下することにより、中継ケーブル２の伝送部側、この伝送部側に接続されたイヤホン３のケーブル１９がモノポールアンテナとして機能するようになる。これにより携帯電話１では、受信周波数が低い場合には、電気長の長いモノポールアンテナで放送波を受信してアンテナ利得が増大し、性能を向上することができる。
【００３４】
またこの場合もこの実施例では、中継ケーブル２、イヤホン３のケーブル１９の長さが、ローバンドチューナ１３Ｌで受信する放送波の波長の１／４に設定されていることにより、これら中継ケーブル２の伝送部側、イヤホン３のケーブル１９で効率良く高周波信号を誘起してローバンドチューナ１３Ｌに入力することができ、これにより性能を向上することができる。
【００３５】
またこのローバンドチューナ１３Ｌが受け持つ周波数帯域では、比較的、人体の接触によるアンテナの性能劣化が小さい特徴がある。これによりこの実施例では、受信可能な全周波数帯域において、中継ケーブル２のアンテナ部が受け持つ周波数帯域と、中継ケーブル２の伝送部側、イヤホン３のケーブル１９とが受け持つ周波数帯域とを、人体への接触による影響の大小により適切に振り分け、受信可能な周波数帯域全体で見たときの性能を従来に比して向上させることができる。
【００３６】
これによりこの携帯電話１では、図５及び図６に示すように、給電点が本体装置４の根元部分とされた、中継ケーブル２のアンテナ部による受信周波数の高い第１のアンテナＡＴＮ１と、中継ケーブル２の伝送部側、イヤホン３のケーブル１９による受信周波数の低い第２のアンテナＡＴＮ２とを並列に設けた構成となる。また図７及び図８に示すように、ローバンドチューナ１３Ｌとハイバンドチューナ１３Ｈとで、これらアンテナＡＴＮ２、ＡＴＮ１を切り換えて、所望する放送波を受信することになる。
【００３７】
具体的に図９は、この図１の構成によるアンテナの利得を示す特性曲線図である。ここで符号ＬＶ及びＬＨは、それぞれ垂直偏波及び水平偏波の測定結果である。また図１０〜図１２は、それぞれ図９に示す測定結果の図表であり、図１０は垂直偏波及び水平偏波の測定結果から高い側の利得を選択した総合の測定結果であり、図１１及び図１２は、それぞれ垂直偏波及び水平偏波の測定結果である。
【００３８】
これに対して図１３〜図１６は、図９〜図１２との対比により、イヤホン３のケーブルまでもアンテナとして機能させた場合のアンテナの利得を示す特性曲線図である。これら図９〜図１２と図１３〜１６との対比により、イヤホン３のケーブルまでもアンテナとして機能させると、人体の影響により周波数２００〔ＭＨｚ〕近傍等で利得の急激な低下が発生するものの、この実施例の測定結果では、このような局所的な利得の低下が改善されていることが判る。
【００３９】
なおこの図１３〜図１６の測定結果は、図１との対比により図１７に示すように、２本のケーブルによる２線の平行リッツ線を用いて中継ケーブル３２を構成し、アンテナ部側のケーブルの１つをオーディオ信号ＳＡＬの伝送に振り分けた場合である。この場合、このオーディオ信号伝送用のケーブルとアンテナ用のケーブルとの間で結合が著しく増大し、このオーディオ信号伝送用のケーブルに接続されたイヤホン３のケーブルまでもアンテナとして機能し、人体の影響により特性が劣化する。
【００４０】
（３）実施例の効果
以上の構成によれば、本体装置から一定範囲まで、平行線路の一方の側を特定周波数帯域のアンテナとして使用し、他方の側をオーディオ信号等の伝送に割り当てることにより、従来に比して簡易な構成により、機械的強度、デザイン的に優れ、さらには性能を向上したアンテナ、このアンテナを使用した受信装置を提供することができる。
【００４１】
またこの平行線路の他方の側によりオーディオ信号を伝送してスピーカを駆動することにより、イヤホンの構成をアンテナとして使用して、別途アンテナを設けることによるデザインの劣化等を防止することができる。
【００４２】
またジャック及びプラグを設けてイヤホンを取り外し可能とすることにより、必要に応じて中継ケーブルのみをアンテナとして使用して携帯電話を使用することもできる。
【００４３】
より具体的に、右及び左チャンネルのオーディオ信号をそれぞれ伝送するケーブルと、右及び左チャンネルのオーディオ信号に対応するアースラインのケーブルとによる３本のケーブルで平行線路の一方の側に設け、これと本数の等しい３本のケーブルを他方側に設けることにより、３線の平行リッツ線を用いてアンテナを構成することができる。
【００４４】
またこの一方の側によるアンテナ部の長さが、第１の周波数帯域であるハイバンドチューナが受信する放送波の波長の略１／４に設定されていることにより、効率良く放送波を受信することができる。
【００４５】
また伝送用ケーブルの本体装置側端と、アンテナ部の本体装置側端とをフィルタ回路により接続することにより、ローバンドチューナ用のアンテナをイヤホンのケーブルを利用して構成することができ、これにより２つのバンドに対応するアンテナを構成することができる。
【００４６】
またこのイヤホンのケーブルを利用したアンテナ長を、ローバンドチューナが受信する放送波の波長の略１／４とすることにより、効率良くローバンドの放送波を受信することができる。
【実施例２】
【００４７】
この実施例２では、右チャンネル及び左チャンネルのオーディオ信号にそれぞれ専用のアースラインを設けるようにし、これによりそれぞれ４本のケーブルにより第１及び第２の撚り線部を形成する。またこれにより第２の撚り線部では、この４本のケーブルを本体装置側端でまとめてプラグ５に接続する。また第１の撚り線部では、オーディオ信号のアースラインの双方又は一方が、第２の撚り線部のケーブルと接続される。
【００４８】
この実施例のように右チャンネル及び左チャンネルにそれぞれ専用のアースラインを設ける場合であっても、実施例１と同様の効果を得ることができる。
【実施例３】
【００４９】
図１８は、実施例３の中継ケーブルを示す略線図である。この実施例の中継ケーブル３３は、ジック７に接続されるイヤホンと共にヘッドセットを構成し、ジック７側端にマイク３５、本体装置を遠隔制御するスイッチ回路３６が設けられる。またこれらの構成に対応して、第１及び第２の撚り線部１５Ａ及び１５Ｂは、５本のケーブルにより構成される。この中継ケーブル３３において、第２の撚り線部１５Ｂは、この５本のケーブルが本体装置側端でまとめられてプラグ５に接続される。また第１の撚り線部では、アースラインが第２の撚り線部のケーブルと接続される。
【００５０】
この実施例のように、マイク、スイッチ回路等を設ける場合にあっても、上述の実施例１と同様の効果を得ることができる。
【実施例４】
【００５１】
なお上述の実施例においては、プラグ及びジャックにより着脱可能にイヤホンを中継ケーブルに接続する場合について述べたが、本発明はこれに限らず、必要に応じてイヤホン及び中継ケーブルを一体化するようにしてもよい。
【００５２】
また上述の実施例においては、本体装置に着脱可能に中継ケーブルを接続する場合について述べたが、本発明はこれに限らず、必要に応じて本体装置から取り外すことができないように中継ケーブルを設けるようにしてもよい。
【００５３】
また上述の実施例においては、中継ケーブルの長さ、中継ケーブルとイヤホンのケーブルとの長さを、それぞれ対応する放送波の波長の１／４とする場合について述べたが、本発明はこれに限らず、ｎ／４として上述の実施例と同様の効果を得ることができる。なおここで、ｎは奇数である。
【００５４】
また上述の実施例においては、ローバンドチューナとハイバンドチューナとに対応する２つのバンドのアンテナを構成する場合について述べたが、本発明はこれに限らず、ハイバンド専用のアンテナとしてもよい。なおこの場合、中継ケーブルの本体装置側端のフィルタ回路を省略してアンテナ部と伝送部とを完全に絶縁してもよい。
【００５５】
また上述の実施例においては、ハイバンドチューナでディジタルラジオ放送を受信する場合について述べたが、本発明はこれに限らず、ディジタルテレビジョン放送を受信する場合等にも広く適用することができる。
【００５６】
また上述の実施例においては、イヤホンを駆動するオーディオ信号の伝送路を利用してアンテナを構成する場合について述べたが、本発明はこれに限らず、ライン出力等をオーディオ信号の伝送路を利用してアンテナを構成する場合、さらにはオーディオ信号以外の例えばビデオ信号の伝送路を利用してアンテナを構成する場合、信号伝送以外の例えば商用電源、各種直流電源等の電力の伝送路を利用してアンテナを構成する場合等に広く適用することができる。
【産業上の利用可能性】
【００５７】
本発明は、例えばディジタルラジオ放送等を受信可能な携帯電話に適用することができる。
【図面の簡単な説明】
【００５８】
【図１】本発明の実施例１の携帯電話を示すブロック図である。
【図２】図１の携帯電話の斜視図である。
【図３】中継ケーブルの断面図である。
【図４】図１の携帯電話におけるアンテナの説明に供する略線図である。
【図５】図１の携帯電話における中継ケーブル、イヤホンの説明に供する図である。
【図６】図１の携帯電話における中継ケーブル、イヤホンによるアンテナの説明に供する図である。
【図７】図１の携帯電話においてローバンドを受信するアンテナの説明に供する図である。
【図８】図１の携帯電話においてハイバンドを受信するアンテナの説明に供する図である。
【図９】図１の携帯電話におけるアンテナの特性を示す特性曲線図である。
【図１０】図９の特性曲線による特性を示す図表である。
【図１１】図９の特性曲線による垂直偏波の特性を示す図表である。
【図１２】図９の特性曲線による水平偏波の特性を示す図表である。
【図１３】イヤホンのケーブルをアンテナとして使用する場合の特性を示す特性曲線図である。
【図１４】図１３の特性曲線による特性を示す図表である。
【図１５】図１３の特性曲線による垂直偏波の特性を示す図表である。
【図１６】図１３の特性曲線による水平偏波の特性を示す図表である。
【図１７】図１３の特性曲線の測定に供したアンテナの構成を示す図である。
【図１８】本発明の実施例２の中継ケーブルを示す略線図である。
【図１９】人体の影響の説明に供する略線図である。
【符号の説明】
【００５９】
１……携帯電話、２、３２、３３……中継ケーブル２……イヤホン、４……本体装置、５、６……プラグ、７、８……ジャック、１３Ｈ、１３Ｌ……チューナ、１１Ｌ、１１Ｒ、１１Ｇ……高周波遮断回路、１５……平行リッツ線、１９、ＬＡ１〜ＬＡ３、ＬＬ、ＬＲ、ＬＧ……ケーブル、２０Ｌ、２０Ｒ……スピーカ
【図１】
2008270860.tif 000003
【図２】
2008270860.tif 000004
【図３】
2008270860.tif 000005
【図４】
2008270860.tif 000006
【図５】
2008270860.tif 000007
【図６】
2008270860.tif 000008
【図７】
2008270860.tif 000009
【図８】
2008270860.tif 000010
【図９】
2008270860.tif 000011
【図１０】
2008270860.tif 000012
【図１１】
2008270860.tif 000013
【図１２】
2008270860.tif 000014
【図１３】
2008270860.tif 000015
【図１４】
2008270860.tif 000016
【図１５】
2008270860.tif 000017
【図１６】
2008270860.tif 000018
【図１７】
2008270860.tif 000019
【図１８】
2008270860.tif 000020
【図１９】
2008270860.tif 000021